(57)【要約】  【課題】  物品の組合せの自由度を高めたシミュレーションを行えるシミュレーションシステムを提供する。  【解決手段】  シミュレーションシステム１０は、物品の組合せをシミュレーションするシミュレーション装置２０と、物品の情報を物品ごとにそれぞれ記憶した複数の物品情報記憶タグ４０とを備える。物品情報記憶タグ４０は、物品の外観を表示するための外観情報を記憶する。シミュレーション装置２０は、物品画像の挿入領域を有するシミュレーション用のテンプレート画像を記憶したテンプレート画像記憶部２８と、物品情報記憶タグ４０から外観情報を読み取る物品情報読取処理部３４と、物品情報読取処理部３４から読み取った外観情報を用いてシミュレーション画像を生成する画像生成処理部３６と、画像生成処理部３６によって生成されたシミュレーション画像を出力する画像出力処理部３８とを備える。【選択図】  図１
2005256214.tif 000002
【特許請求の範囲】
【請求項１】
物品の組合せをシミュレーションするシミュレーション装置と、前記物品の情報を物品ごとにそれぞれ記憶した複数の物品情報記憶タグと、を備え、
前記物品情報記憶タグは、物品の種別を示す種別情報と、物品の外観を表示するための外観情報とを記憶し、
前記シミュレーション装置は、物品の種別に応じて定められた物品画像の挿入領域を有するシミュレーション用のテンプレート画像を記憶したテンプレート画像記憶手段と、前記物品情報記憶タグから前記種別情報および前記外観情報を読み取る物品情報読取手段と、前記物品情報読取手段から読み取った前記種別情報に対応する前記テンプレート画像中の前記物品画像の挿入領域を特定し、特定された挿入領域に前記外観情報に基づいて生成された物品画像を挿入してシミュレーション画像を生成する画像生成手段と、前記画像生成手段によって生成されたシミュレーション画像を出力する画像出力手段と、を備えたことを特徴とするシミュレーションシステム。
【請求項２】
前記画像生成手段は、前記物品情報読取手段による物品情報の読取りに応じて前記シミュレーション画像の生成を開始することを特徴とする請求項１に記載のシミュレーションシステム。
【請求項３】
前記画像生成手段は、前記外観情報を用いて、前記テンプレート画像に応じて大きさおよび方向を調整した物品画像を生成することを特徴とする請求項１に記載のシミュレーションシステム。
【請求項４】
物品の組合せをシミュレーションするシミュレーション装置と、前記物品の情報を物品ごとにそれぞれ記憶した複数の物品情報記憶タグと、を備え、
前記物品情報記憶タグは、物品の外観を表示するための外観情報を記憶し、
前記シミュレーション装置は、物品画像を挿入してシミュレーション画像を生成するためのテンプレート画像を記憶したテンプレート画像記憶手段と、前記物品情報記憶タグから前記外観情報を読み取る物品情報読取手段と、前記テンプレート画像に前記外観情報に基づいて生成された物品画像を挿入してシミュレーション画像を生成する画像生成手段と、前記画像生成手段によって生成されたシミュレーション画像を出力する画像出力手段と、を備えたことを特徴とするシミュレーションシステム。
【請求項５】
物品の種別に応じて定められた物品画像の挿入領域を有するシミュレーション用のテンプレート画像を記憶したテンプレート画像記憶手段と、
物品の情報を記憶した物品情報記憶タグから物品の種別を示す種別情報および物品の外観を表示するための外観情報を読み取る物品情報読取手段と、
前記物品情報読取手段から読み取った前記種別情報に対応する前記テンプレート画像中の前記物品画像の挿入領域を特定し、特定された挿入領域に前記外観情報に基づいて生成された物品画像を挿入してシミュレーション画像を生成する画像生成手段と、
前記画像生成手段によって生成されたシミュレーション画像を出力する画像出力手段と、
を備えたことを特徴とするシミュレーション装置。
【請求項６】
物品の種別に応じて定められた物品画像の挿入領域を有するシミュレーション用のテンプレート画像をテンプレート画像記憶手段から読み出すテンプレート画像読出ステップと、
物品の情報を記憶した物品情報記憶タグから物品の種別を示す種別情報および物品の外観を表示するための外観情報を読み取る物品情報読取ステップと、
前記物品情報読取ステップにて読み取った前記種別情報に対応する前記物品画像の挿入領域を特定し、特定された挿入領域に前記外観情報に基づいて生成された物品画像を挿入してシミュレーション画像を生成する画像生成ステップと、
前記画像生成ステップにて生成されたシミュレーション画像を出力する画像出力ステップと、
を備えたことを特徴とするシミュレーション方法。
【請求項７】
物品の組合せをシミュレーションするためのプログラムであって、コンピュータに、
物品の種別に応じて定められた物品画像の挿入領域を有するシミュレーション用のテンプレート画像をテンプレート画像記憶手段から読み出すテンプレート画像読出ステップと、
物品の情報を記憶した物品情報記憶タグから物品の種別を示す種別情報および物品の外観を表示するための外観情報を読み取る物品情報読取ステップと、
前記物品情報読取ステップにて読み取った前記種別情報に対応する前記物品画像の挿入領域を特定し、特定された挿入領域に前記外観情報に基づいて生成された物品画像を挿入してシミュレーション画像を生成する画像生成ステップと、
前記画像生成ステップにて生成されたシミュレーション画像を出力する画像出力ステップと、
を実行させることを特徴とするプログラム。
【発明の詳細な説明】
【技術分野】
【０００１】
物品の組合せをシミュレーションするためのシミュレーションシステムに関する。
【背景技術】
【０００２】
従来から、リフォーム後の家のイメージやオーダーメイドの服飾品のイメージをシミュレーションする装置が知られている。例えば、特許文献１は、顧客が選択したデザイン、生地から作成される服飾品の仕上がりイメージを表示する服飾品の製造支援装置が開示されている。この文献に記載された服飾品の製造支援装置は、型紙の属性および形状等を記憶した型紙情報記憶手段、衣服に用いられる素材の画像および属性情報を記憶した素材情報記憶手段、標準的な体系の三次元モデルを記憶した人体モデル情報記憶手段を備えている。そして、製造支援装置は、ユーザにより選択されたデザイン、生地、体型をそれぞれの記憶手段から読み出し、読み出した情報に基づいて三次元衣服形状データを作成する。
【特許文献１】特開２０００−１８７６８３号公報（第１１−１２頁、図１０）
【発明の開示】
【発明が解決しようとする課題】
【０００３】
しかし、上記した服飾品の製造支援装置では、三次元衣服形状データを作成するための元となる情報は、あらかじめ製造支援装置に記憶された情報に限られていた。従って、あらかじめ記憶されたデザイン、生地、体型の組合せでしか三次元衣服形状データを作成できなかった。新しい型紙や素材を用いて三次元衣服形状データを作成する場合には、その情報を製造支援装置に記憶させる必要があり、その作業は容易ではなかった。
【０００４】
本発明は、上記背景に鑑み、物品の組合せの自由度を高めたシミュレーションを容易に行えるシミュレーションシステムを提供することを目的とする。
【課題を解決するための手段】
【０００５】
本発明のシミュレーションシステムは、物品の組合せをシミュレーションするシミュレーション装置と、前記物品の情報を物品ごとにそれぞれ記憶した複数の物品情報記憶タグとを備え、前記物品情報記憶タグは、物品の種別を示す種別情報と、物品の外観を表示するための外観情報とを記憶し、前記シミュレーション装置は、物品の種別に応じて定められた物品画像の挿入領域を有するシミュレーション用のテンプレート画像を記憶したテンプレート画像記憶手段と、前記物品情報記憶タグから前記種別情報および前記外観情報を読み取る物品情報読取手段と、前記物品情報読取手段から読み取った前記種別情報に対応する前記テンプレート画像中の前記物品画像の挿入領域を特定し、特定された挿入領域に前記外観情報に基づいて生成された物品画像を挿入してシミュレーション画像を生成する画像生成手段と、前記画像生成手段によって生成されたシミュレーション画像を出力する画像出力手段とを備えた構成を有する。
【０００６】
この構成により、物品情報記憶タグに物品の外観情報を記憶させておき、物品情報読取手段にて物品情報記憶タグから読み取った外観情報を用いてシミュレーション画像を生成するので、あらかじめ物品の外観情報が記憶されていない物品を用いたシミュレーションを容易に行うことができる。また、テンプレート画像は物品の種別情報に関連付けられた挿入領域を有するので、物品の種別情報に対応する物品の画像を挿入することで、適切なシミュレーション画像を容易に生成できる。
【０００７】
本発明のシミュレーションシステムにおいて、前記画像生成手段は、前記物品情報読取手段による物品情報の読取りに応じて前記シミュレーション画像の生成を開始する構成を有する。
【０００８】
この構成により、物品情報を読み取らせるだけでシミュレーション画像を生成する簡易なユーザインターフェースを実現できる。
【０００９】
本発明のシミュレーションシステムにおいて、前記画像生成手段は、前記外観情報を用いて、前記テンプレート画像に応じて大きさおよび方向を調整した物品画像を生成する構成を有する。
【００１０】
この構成により、テンプレート画像に応じて物品画像が調整されるので、適切なシミュレーション画像を生成できる。
【００１１】
本発明の別の態様のシミュレーションシステムは、物品の組合せをシミュレーションするシミュレーション装置と、前記物品の情報を物品ごとにそれぞれ記憶した複数の物品情報記憶タグとを備え、前記物品情報記憶タグは、物品の外観を表示するための外観情報を記憶し、前記シミュレーション装置は、物品画像を挿入してシミュレーション画像を生成するためのテンプレート画像を記憶したテンプレート画像記憶手段と、前記物品情報記憶タグから前記外観情報を読み取る物品情報読取手段と、前記テンプレート画像に前記外観情報に基づいて生成された物品画像を挿入してシミュレーション画像を生成する画像生成手段と、前記画像生成手段によって生成されたシミュレーション画像を出力する画像出力手段とを備えた構成を有する。
【００１２】
この構成により、物品情報記憶タグに物品の外観情報を記憶させておき、物品情報読取手段にて物品情報記憶タグから読み取った外観情報を用いてシミュレーション画像を生成するので、あらかじめ物品の外観情報が記憶されていない物品を用いたシミュレーションを容易に行うことができる。
【００１３】
本発明のシミュレーション装置は、物品の種別に応じて定められた物品画像の挿入領域を有するシミュレーション用のテンプレート画像を記憶したテンプレート画像記憶手段と、物品の情報を記憶した物品情報記憶タグから物品の種別を示す種別情報および物品の外観を表示するための外観情報を読み取る物品情報読取手段と、前記物品情報読取手段から読み取った前記種別情報に対応する前記テンプレート画像中の前記物品画像の挿入領域を特定し、特定された挿入領域に前記外観情報に基づいて生成された物品画像を挿入してシミュレーション画像を生成する画像生成手段と、前記画像生成手段によって生成されたシミュレーション画像を出力する画像出力手段とを備えた構成を有する。
【００１４】
この構成により、物品情報読取手段にて物品情報記憶タグから読み取った外観情報を用いてシミュレーション画像を生成するので、あらかじめ物品の外観情報が記憶されていない物品を用いたシミュレーションを行うことができる。また、テンプレート画像は、物品の種別情報に関連付けられた挿入領域を有するので、物品の種別情報に対応する外観情報が挿入され、適切なシミュレーション画像を生成できる。
【００１５】
本発明のシミュレーション方法は、物品の種別に応じて定められた物品画像の挿入領域を有するシミュレーション用のテンプレート画像をテンプレート画像記憶手段から読み出すテンプレート画像読出ステップと、物品の情報を記憶した物品情報記憶タグから物品の種別を示す種別情報および物品の外観を表示するための外観情報を読み取る物品情報読取ステップと、前記物品情報読取ステップにて読み取った前記種別情報に対応する前記物品画像の挿入領域を特定し、特定された挿入領域に前記外観情報に基づいて生成された物品画像を挿入してシミュレーション画像を生成する画像生成ステップと前記画像生成ステップにて生成されたシミュレーション画像を出力する画像出力ステップとを備えた構成を有する。
【００１６】
この構成により、本発明のシミュレーションシステムと同様に、あらかじめ物品の外観情報が記憶されていない物品を用いたシミュレーションを行うことができる。また、本発明のシミュレーションシステムの各種の構成を本発明のシミュレーション方法に適用することもできる。
【００１７】
本発明のプログラムは、物品の組合せをシミュレーションするためのプログラムであって、コンピュータに、物品の種別に応じて定められた物品画像の挿入領域を有するシミュレーション用のテンプレート画像をテンプレート画像記憶手段から読み出すテンプレート画像読出ステップと、物品の情報を記憶した物品情報記憶タグから物品の種別を示す種別情報および物品の外観を表示するための外観情報を読み取る物品情報読取ステップと、前記物品情報読取ステップにて読み取った前記種別情報に対応する前記物品画像の挿入領域を特定し、特定された挿入領域に前記外観情報に基づいて生成された物品画像を挿入してシミュレーション画像を生成する画像生成ステップと、前記画像生成ステップにて生成されたシミュレーション画像を出力する画像出力ステップとを実行させる。
【００１８】
この構成により、本発明のシミュレーションシステムと同様に、あらかじめ物品の外観情報が記憶されていない物品を用いたシミュレーションを行うことができる。また、本発明のシミュレーションシステムの各種の構成を本発明のプログラムに適用することもできる。
【発明の効果】
【００１９】
本発明は、物品情報記憶タグに物品の外観情報を記憶させておき、物品情報読取手段にて物品情報記憶タグから読み取った外観情報を用いてシミュレーション画像を生成するので、あらかじめ物品の外観情報が記憶されていない物品を用いたシミュレーションを容易に行うことができるというすぐれた効果を有する。
【発明を実施するための最良の形態】
【００２０】
以下、本発明の実施の形態のシミュレーションシステムについて図面を用いて説明する。本実施の形態のシミュレーションシステムは、リフォーム後のインテリアのイメージをシミュレーションする装置である。
【００２１】
図１は、実施の形態のシミュレーションシステム１０の構成を示す図である。シミュレーションシステム１０は、シミュレーションを行うシミュレーション装置２０と、シミュレーションに用いる物品情報を記憶した物品情報記憶タグ４０とを備える。物品情報記憶タグ４０は、ＲＦＩＤ（Radio Frequency Identification）を利用した無線タグであり、シミュレーションの対象となる物品に付されている。
【００２２】
シミュレーション装置２０は、操作者であるユーザに対してシミュレーション画像を表示する出力部２２と、ユーザからの入力を受け付ける入力部２４と、物品情報記憶タグ４０から無線通信により物品情報を読み取るリーダライタ２６と、シミュレーション画像を生成する元となる複数のテンプレート画像を記憶したテンプレート画像記憶部２８と、シミュレーション装置２０の全体を制御する制御部３０とを有する。
【００２３】
図２は、シミュレーション装置２０のハードウェアを示す図である。シミュレーション装置２０は、出力部２２を構成するディスプレイと、入力部２４を構成するキーパッドと、前述のリーダライタ２６とを備えている。シミュレーション装置２０は、携帯可能な装置である。物品に付された物品情報記憶タグにリーダライタ２６を近づけることにより、物品情報記憶タグの情報を読み取ることができる。
【００２４】
図１に戻って、テンプレート画像記憶部２８は、複数のテンプレート画像を記憶している。複数のテンプレート画像は、家の間取りや基本となるデザインの違いにそれぞれ対応している。ユーザは、複数のテンプレート画像の中から、シミュレーションを行うためのテンプレート画像を選択できる。
【００２５】
図３は、テンプレート画像の例を示す図である。テンプレート画像は、固定の画像の領域と物品画像を挿入する挿入領域を有する画像である。挿入領域は、挿入されるべき物品の種別情報を有する。従って、挿入領域には、特定の種別の物品画像が挿入される。例えば、図３において、挿入領域Ａの物品種別は机であり、挿入領域Ｂの物品種別は照明である。テンプレート画像の挿入領域に物品画像を挿入して、シミュレーション画像を生成する。なお、図３では、説明の便宜上、挿入領域を仮想線で囲んでいるが、実際には仮想線は存在しない。従って、物品画像が挿入されていない挿入領域がある画像もシミュレーション画像としていることができる。
【００２６】
次に、図１に示すシミュレーション装置２０の制御部３０について説明する。制御部３０において、テンプレート画像読出処理部３２は、テンプレート画像記憶部２８からテンプレート画像を読み出す機能を有する。テンプレート画像読出処理部３２は、読み出すべきテンプレートの指定を入力部２４によって受け付ける。そして、テンプレート画像読出処理部３２は、指定されたテンプレート画像をテンプレート画像記憶部２８から読み出す。
【００２７】
物品情報読取処理部３４は、物品情報記憶タグ４０に記憶された物品情報をリーダライタ２６に読み取らせる機能を有する。ここで、物品情報記憶タグ４０に記憶されている情報について説明する。
【００２８】
図４は、物品情報記憶タグ４０に記憶されている情報の例を示す図である。物品情報記憶タグ４０には、物品を特定するための物品ＩＤと、物品の種別を示す種別情報と、物品画像を表示するための外観情報とが記憶されている。外観情報は、例えば、物品の形状、大きさ、色などの情報である。
【００２９】
図１に戻って、画像生成処理部３６は、物品情報読取処理部３４での物品情報の読取りに応じて、読み取った物品情報を用いてシミュレーション画像を生成する機能を有する。具体的には、画像生成処理部３６は、物品情報読取処理部３４にて読み取った物品の外観情報を用いてテンプレート画像に対応した物品画像を生成し、生成された物品画像をテンプレート画像の挿入領域に挿入する。これにより、物品画像を種々のテンプレート画像に適用できる。
【００３０】
画像出力処理部３８は、画像生成処理部３６にて生成されたシミュレーション画像を出力部２２に表示させる機能を有する。
【００３１】
次に、本実施の形態のシミュレーション装置２０の動作について説明する。
【００３２】
図５は、本実施の形態のシミュレーション装置２０の動作を示す図である。まず、シミュレーション装置２０は、シミュレーション画像を生成するためのテンプレート画像を決定する（Ｓ１０）。具体的には、シミュレーション装置２０の出力部２２が、テンプレート画像記憶部２８に記憶されたテンプレート画像の一覧を表示し、ユーザによる選択を受け付ける。シミュレーション装置２０の入力部２４がユーザからの選択を受け付けると、シミュレーション装置２０のテンプレート画像読出処理部３２は、受け付けた選択に基づいてシミュレーションに用いるテンプレート画像を決定する。続いて、テンプレート画像読出処理部３２は、決定されたテンプレート画像をテンプレート画像記憶部２８から読み出す（Ｓ１２）。
【００３３】
次に、シミュレーション装置２０の物品情報読取処理部３４は、物品情報記憶タグ４０から物品情報を読み取る（Ｓ１４）。具体的には、ユーザがシミュレーションを行いたい物品の物品情報記憶タグ４０をシミュレーション装置２０のリーダライタ２６にかざすことにより、シミュレーション装置２０は、無線通信範囲内に入った物品情報記憶タグ４０を読み取る。
【００３４】
物品情報読取処理部３４によって物品情報を読み取ると、シミュレーション装置２０の画像生成処理部３６は、テンプレート画像中に読み取った種別情報に対応する挿入領域があるか否かを判定する（Ｓ１６）。対応する挿入領域がないと判定された場合には、シミュレーション装置２０は、読み取った物品のシミュレーションを行えない旨を出力部２２に表示する（Ｓ２２）。
【００３５】
読み取った種別情報に対応する挿入領域があると判定された場合、画像生成処理部３６は、シミュレーション画像を生成する（Ｓ１８）。具体的には、まず、画像生成処理部３６は、読み取った物品の種別情報に基づいて、テンプレート画像中の挿入領域を特定する。次に、画像生成処理部３６は、読み取った物品の外観情報を用いて、特定された挿入領域に合う物品画像を生成する。例えば、挿入領域の大きさに合わせて物品画像の大きさを調整し、挿入領域に挿入されるべき物品画像の方向に合わせて、物品画像を回転して方向を調整する。ここで、物品画像の大きさの調整の一例を示す。
【００３６】
図６は、机の物品画像の挿入領域Ｃを有するテンプレート画像である。このテンプレート画像と図３に示すテンプレート画像は共に、机の物品画像の挿入領域を有する。それぞれのテンプレート画像に、同じ机の物品情報を読み取って挿入する場合、それぞれのテンプレート画像中でのふさわしい机の大きさに調整される。例えば、図６のテンプレート画像に挿入される物品画像は、図３のテンプレート画像に挿入される物品画像より小さく調整される。
【００３７】
読み取った外観情報を用いてテンプレートに合った物品画像を生成した後、画像生成処理部３６は、生成された物品画像をテンプレート画像の挿入領域に挿入してシミュレーション画像を生成する。
【００３８】
図７は、図３に示すテンプレート画像に物品画像として机の画像が挿入されたシミュレーション画像の例を示す図である。図７に示すように、物品情報読取処理部３４にて読み取った物品の画像が含まれたシミュレーション画像が生成される。このとき、挿入領域にすでに物品画像が挿入されている場合には、新たに読み取った物品の物品画像を挿入領域に上書きして、シミュレーション画像を生成する。
【００３９】
次に、シミュレーション装置２０の画像出力処理部３８は、画像生成処理部３６にて生成されたシミュレーション画像を出力部２２に表示させる（Ｓ２０）。
【００４０】
その後、シミュレーション装置２０は、処理を終了するか否かを判定する（Ｓ２４）。処理終了でないと判定された場合、シミュレーション装置２０の動作は、物品情報読取りのステップ（Ｓ１４）に移行する。処理終了と判定された場合には、シミュレーション装置２０の動作を終了する。
【００４１】
以上、本実施の形態のシミュレーションシステム１０について説明した。
【００４２】
本実施の形態のシミュレーションシステム１０は、物品情報記憶タグ４０に物品の外観情報を記憶させておき、物品情報読取手段にて読み取った外観情報を用いてシミュレーション画像を生成するので、あらかじめ物品の外観情報が記憶されていない物品を用いたシミュレーションを容易に行うことができる。
【００４３】
また、シミュレーション装置２０のテンプレート画像記憶部２８に記憶されたテンプレート画像は、物品の種別情報に関連付けられた挿入領域を有するので、物品の種別情報に対応する物品画像を挿入して適切なシミュレーション画像を容易に生成できる。
【００４４】
また、シミュレーション装置２０の画像生成処理部３６は、物品情報の読取りに応じてシミュレーション画像を生成するので、ユーザインターフェースを簡易にできる。すなわち、ユーザが物品情報記憶タグ４０をリーダライタ２６にかざすだけで、図６に示すようなシミュレーション画像が表示される。
【００４５】
以上、本発明のシミュレーションシステム１０について実施の形態を挙げて詳しく説明したが、本発明のシミュレーションシステム１０は、上記実施の形態に限定されるものではない。
【００４６】
上記実施の形態のシミュレーション装置２０では、読み取った物品情報に対応する挿入領域を有するか否かを判定し、対応する挿入領域を有しない場合には、シミュレーションできない旨を表示するが、あらかじめテンプレート画像に対応する物品の種別を通知する構成を有することとしてもよい。これにより、ユーザは、テンプレート画像に挿入できる物品を把握できるので、適切な物品の物品情報を読み取ることができる。
【００４７】
また、物品情報記憶タグ４０に物品の価格を示す情報を記憶しておき、シミュレーション装置２０は、シミュレーション画像を生成すると共に、その物品を用いた場合の見積もりを計算してもよい。
【産業上の利用可能性】
【００４８】
以上説明したように、本発明は、物品情報記憶タグに物品の外観情報を記憶させておき、あらかじめ物品の外観情報が記憶されていない物品を用いたシミュレーションを行うことができるというすぐれた効果を有し、例えば、リフォーム後のインテリアの組み合わせのシミュレーションを行うシミュレーションシステムとして有用である。
【図面の簡単な説明】
【００４９】
【図１】実施の形態のシミュレーションシステムの機能の構成を示す図
【図２】実施の形態のシミュレーション装置のハードウェアの構成を示す図
【図３】テンプレート画像記憶部に記憶されたテンプレート画像の例を示す図
【図４】物品情報記憶タグに記憶されたデータの例を示す図
【図５】実施の形態のシミュレーション装置の動作を示す図
【図６】シミュレーション画像の例を示す図
【図７】シミュレーション画像の例を示す図
【符号の説明】
【００５０】
１０  シミュレーションシステム
２０  シミュレーション装置
２２  出力部
２４  入力部
２６  リーダライタ
２８  テンプレート画像記憶部
３０  制御部
３２  テンプレート画像読出処理部
３４  物品情報読取処理部
３６  画像生成処理部
３８  画像出力処理部
４０  物品情報記憶タグ
【図１】
2005256214.tif 000003
【図２】
2005256214.tif 000004
【図３】
2005256214.tif 000005
【図４】
2005256214.tif 000006
【図５】
2005256214.tif 000007
【図６】
2005256214.tif 000008
【図７】
2005256214.tif 000009